(57)【要約】  １の方法は、フレーム周期（ｔ１３−ｔ１１）を有する周期信号（Ｌ）を持ったランプの駆動について記述する。前記フレーム周期のＯＮ時間の間（ｔ１１からｔ１２）周期信号（Ｌ）は角形信号で、前記フレーム周期のＯＦＦ時間の間（ｔ１２からｔ１３）ゼロである。前記角形信号は、５０％のデューティ・サイクルと、前記フレーム周期より小さいブロック周期（ｔ２２−ｔ１１）を持つ。前記フレーム周期の前記ＯＮ時間（ｔ１１からｔ１２）の継続時間（ｔ１２−ｔ１１）は前記ブロック周期（ｔ２２−ｔ１１）の整数倍に等しい。本発明に拠れば、前記フレーム周期の前記ＯＮ時間（ｔ１１からｔ１２）の開始（ｔ１１）が、前記角形信号の位相９０°に一致する。
2009540495.tif 000002
【特許請求の範囲】
【請求項１】
フレーム周期を有する周期信号を持ったランプを駆動するための方法で、前記フレーム周期のＯＮ時間の間周期信号は角形信号で、前記フレーム周期のＯＦＦ時間の間ゼロであって；
前記角形信号は５０％のデューティ・サイクルと、前記フレーム周期より小さいブロック周期を持ち；
前記フレーム周期の前記ＯＮ時間の継続時間は前記ブロック周期の整数倍に等しい方法において；
前記フレーム周期の前記ＯＮ時間の開始が、０°＜φ＜１８０°で、前記角形信号の位相φに一致する事を特徴とする方法。
【請求項２】
請求項１に記載の方法であって、前記位相φが実質上９０°に等しい方法。
【請求項３】
請求項１に記載の方法であって：
ランプ周期とフレーム周波数とを決定する周期信号を提供するステップ；
高周波発振器信号を生成するステップ；
前記周期信号とのタイミング関係において、デューティ・サイクルが望ましい値を持つようにランプの目標オン時間とランプの目標オフ時間とを決定する調光コマンド信号を生成するステップ；
目標オン時間を基礎として、高周波発振器信号の前記位相φと一致する適応オン時間を決定するステップ；
目標オフ時間を基礎として、高周波発振器信号の前記位相φと一致する適応オフ時間を決定するステップ；
適応オン時間でランプオンに切り換え且つ適応オフ時間でランプオフに切り換えるステップ
を含む方法。
【請求項４】
請求項３に記載の方法であって、調光コマンド信号が目標オン時間を示すまでの第１の待ちのステップ及び、高周波発振器信号の前記位相φに続いて起きる第１の事象を検出するステップにより、適応オン時間が、決定される方法。
【請求項５】
請求項３に記載の方法であって、調光コマンド信号が目標オフ時間を示すまでの第１の待ちのステップ及び、前記高周波発振器信号の前記位相φに続いて起きる第１の事象を検出するステップにより、適応オフ時間が、決定される方法。
【請求項６】
請求項３に記載の方法であって、更に：
前記高周波発振器信号と同期して、整流子電流信号を生成するステップ；
適応オン時間まで電流信号を止めるステップ；
適応オン時間と適応オフ時間との間で電流信号をランプ回路へ通すステップ；
適応オフ時間後電流信号を止めるステップ
を含む方法。
【請求項７】
請求項１に記載の方法であって：
前記角形信号の２倍の周波数を持つタイマー信号を提供するステップ；
タイマー信号の第１端と同期して前記角形信号を生成するステップ；
タイマー信号の第２端と同期して補助信号を生成し、第２端（立ち上がり）が第１端（立ち下がり）と反対であるステップを含み；
前記フレーム周期の前記ＯＮ時間の開始が補助信号と同期して決定され、前記ＯＮ時間の継続時間が補助信号の周期数を数えることにより決定される方法。
【請求項８】
先行する請求項の何れかに記載の方法を実行するのに適した、ランプ駆動用のランプ駆動器。
【請求項９】
少なくとも１つの背面照明ランプと請求項８に記載の少なくとも１つのランプ駆動装置とを含む液晶表示板装置のための背面照明装置。
【発明の詳細な説明】
【技術分野】
【０００１】
本発明は、一般にランプ駆動装置に関し、特に蛍光ガス放電ランプ駆動装置に関する。
【背景技術】
【０００２】
ランプ一般は、公称定格、言い換えると公称光出力を提供する公称作動電圧及び電流を有する。一般に実際の光出力が公称値より少なくなるような調光モードでランプが動作可能である必要性がある。
【０００３】
ランプ電流を減少させることにより調光することはできるが、ガス放電灯の場合、可変デューティ・サイクルで切り換えモード（交互にＯＮ／OFF）でランプを駆動することも知られている。ＯＮの周期の間、ランプは公称電力を受け取り、ＯＦＦの周期の間、ランプは何も電力を受け取らない。もしＯＮ／ＯＦＦの切り換え周波数が十分高いと（少なくとも２０Ｈｚより上）結果として生じる光出力は、ＯＮ周期の間の光出力とＯＦＦ周期の間の光出力の時間平均である。この平均は、Δ＝ｔＯＮ/(ｔＯＮ+ｔOFF)で定義されるデューティ・サイクルΔに依存する。
【０００４】
１適用例として、液晶表示板の背面照明が言及される。液晶テレビ又は液晶モニタ−用の液晶表示板の背面照明として、液晶表示板の背後の水平蛍光ランプの配列が知られている。ＬＣＤ駆動装置は、画像信号を受け取り、ランプ光を通すか否かで、ＬＣＤセルを透明、部分的に透明、透明でない状態に制御する。ＬＣＤセル(cells)は、このように画像画素を定義する。画像の明るい部分では、ＬＣＤセルは、透明で、ランプ光は通過し、対応する画像画素は明るい。画像の暗い部分では、ＬＣＤセルは、不透明で、ランプ光は阻止され、対応する画像画素は暗い。このように、約１：２００から１：５００のコントラスト比に到達が可能である。良い画質のためには、しかしながら、少なくとも１：１２００又はできれば１：１８００のコントラスト比が、望ましい。コントラスト比におけるこの更なる増加は、ランプを調光することにより可能である。ランプ調光制御器は、画像信号に基づいてランプのＯＮ及びＯＦＦを切り換える。このように、液晶テレビ又は液晶モニタ−の背面照明システムにおいては、デューティ・サイクルは、４０％の高さにさえ設定することができるが、ランプは、通常はフレーム周波数に等しい切り換え(switching)周波数（関係する装置の設定に拠るが、通常は５０Ｈｚと１２５Ｈｚとの間）で動作し、デューティ・サイクルは典型的な範囲である２％から２０％の範囲で変化する。そのような場合においては、ＯＮ時間は、０．１６ｍｓ（１２５Ｈｚで２％デューティ・サイクル）から４ｍｓ（５０Ｈｚで２０％デューティ・サイクル）又はそれ以上まで変化しうる。
【発明の開示】
【発明が解決しようとする課題】
【０００５】
ＯＮ周期の間、蛍光ランプ内の電流は、直流ではなく、発振器からの高周波分を持ち、周波数は、典型的には２０−２００ｋＨｚ，更に典型的には約５０ｋＨｚになる。この周波数は、ＬＦ（低周波）ランプ周波数＝フレーム周波数と対照的にＨＦ（高周波）電流周波数として表示されなければならない。このように、ＯＮ周期では、ランプは限られた数のＨＦ電流サイクルを受け取る。２％デューティ・サイクルでは、ＨＦ電流サイクルのこの数は、ランプ周波数が５０ＨｚでＨＦ電流周波数が５０ｋＨｚという条件で、２０である；より高いランプ周波数に対しては、この数は、より低くなる。
【０００６】
ＨＦ電流サイクルを作り出す発振器は、通常はタイマー制御器と変圧器を含む。タイマー制御器は、「高」と「低」の２つの信号値を持つことができる対称ブロック(block)信号を作る。実際の正弦波ランプ電流は、変圧器によって提供されるが、正弦波ランプ電流のタイミングは、タイマーブロック信号によって制御される。
【０００７】
ランプ駆動器は、更に通常デューティ・サイクル制御器を含み、ＬＦランプ周波数においてランプのＯＮ／ＯＦＦ切換を決定するデューティ・サイクルコマンド信号としても又示される調光コマンド信号を提供する。通常、このデューティ・サイクルコマンド信号及びＨＦブロック信号は、互いに独立している。そのような場合、ランプのＯＮ又はＯＦＦの切換の瞬間におけるランプの電流状態は、前もっては知られず、１つのランプサイクルから次へと変わりうる。これは望ましくない。というのは、使用者にとって煩わしい目立つ程度のランプのちらつきが起こる可能性があるからである。デューティ・サイクルが低ければ低いほど、そのようなちらつき効果は、より目立つようになる。
【０００８】
ランプ切換信号とＨＦ電流サイクルとの間の固定タイミング関係を生じさせる事も可能である。例えばＰＬＬを用い、発振器出力周波数とランプ切り換え周波数の間の同期を取ることは可能である。そのような場合、ランプＯＮの切換の瞬間は、通常ＨＦ電流サイクルの開始（即ちＨＦブロック信号の立ち上がり端）に一致する。
【０００９】
ブロック信号が「高」の時、変圧器は、帯電する；ブロック信号が「低」の時、変圧器は、放電される。このように、１つの完全なＨＦサイクルにおいて、変圧器の磁荷状態は、ゼロから第１の最大値（ブロック信号が「高」の間）まで上がり、ゼロに戻る（ブロック信号が「低」の間）。次のＨＦサイクルにおいて、これは繰り返す。結果として、平均磁荷状態は、ゼロより上で、磁荷状態の第１の最大値は、比較的高い。結果として、飽和が起きる可能性があり、光出力を不安定にする。飽和効果を予防するために変圧器は、相対的に大きめにしなければならないので、費用の増加を招く。更に、もし変圧器が直流結合で直接駆動なら１ランプサイクルにおいてゆっくりと飽和へと漂う。
【００１０】
そのような相対的に高い磁荷状態を予防するために先行技術で知られた解決法は、いわゆるスロースタート(slow start)機構で、デューティ・サイクルは、だんだんとのみ変化する。これはしかし、オン時間が相対的に短いシステムにおいて適用不可又は非常な困難を伴う。一般に本発明は、上記問題に対する解答を与える事を目的とする。
【課題を解決するための手段】
【００１１】
本発明の重要な1面に従い、ランプは、ＨＦブロック信号と９０°の固定タイミング関係を有する時間内の第１の瞬間にＯＮに切り換え、ランプ駆動器は、ＨＦブロック信号と９０°の固定タイミング関係を有する時間内の第２の瞬間にＯＮに切り換える。ＨＦブロック信号と９０°の固定タイミング関係とは、ＨＦブロック信号の「高」部分は、途中にある事を意味する。磁荷状態の第２の最大値に到達するために、ＨＦブロック信号の「高」部分の残りの半分に間に、即ち位相９０°から位相１８０°の間に変圧器は、帯電する。ＨＦブロック信号の「低」部分の最初の半分の間に、即ち位相１８０°から位相２７０°の間に変圧器は、放電し、磁荷状態はゼロに到達し、ＨＦブロック信号の「低」部分の残りの半分の間に、即ち位相２７０°から位相３６０°の間に変圧器は、更に放電し、第２の最大値と反対の方向を有する磁荷状態の最大値、又はよりうまい言い方をすれば第３の最大値に到達する。最後に、ＨＦブロック信号の次の「高」部分の最初の半分の間に、即ち位相０°から位相９０°の間に、磁荷状態はゼロに上がり、その後に上記は、繰り返される。結果として、磁荷状態の平均は、常にゼロで、磁化のピーク値（即ち第２及び第３最大値）は、上述の第１最大値より低い。
【００１２】
本発明のこれらの又は他の実施例、特徴及び利点は、図面を参照し以下の記述のより更に詳しく説明される。ここで、同じ参照番号は、同じ又は類似の部品を指し示す。
【発明を実施するための最良の形態】
【００１３】
図１は、本発明に従いランプ回路３に接続する出力２を有する、ランプ駆動装置１の1実施例のブロック略図を示す。出力2で、ランプ駆動装置１は、ランプ駆動信号Ｌを出力する。ランプ回路３は、変圧器４を含み、その１次巻線が出力２と結合され、その２次巻線と、ランプ６が接続される変圧器出力５とが結合されている。これから説明されるように、ランプ駆動信号Ｌはブロック信号であるのに対し、ランプ６により受け取られる変圧器出力電流Ｉは、正弦波信号である。変圧器４はランプ駆動装置１と一体化でき、この場合、出力５は駆動出力で、信号Ｌは内部信号であることに注意する。
【００１４】
ランプ駆動装置１は、ランプ調光制御器１０を含み、入力11に画像信号Ｓｉを受け取らせ、出力１2に調光制御信号Ｓｄｃｃを出力させる。画像信号Ｓｉは、画像のための水平及び垂直タイミング情報を含み、及び画素情報も含む。この画像信号Ｓｉを基礎として、ランプ調光制御器１０は、従動(driven)ランプのために調光レベルを計算し、そしてこのランプのデューティ・サイクルを計算する。このデューティ・サイクルに基づき、調光制御信号Ｓｄｃｃは、画像信号Ｓｉと同期してランプのオンとオフを切り換えるためのタイミング信号を含む。この実施例において調光制御信号Ｓｄｃｃは、2レベル信号で、高（ＨＩＧＨ）レベルがランプオン（ＬＡＭＰ  ＯＮ）を示し、低（ＬＯＷ）レベルがランプオフ（ＬＡＭＰ  ＯＦＦ）を示す。
【００１５】
図２は、ランプ駆動装置１により制御されるランプが、時刻ｔ１にスイッチが入り、時刻ｔ２にスイッチが切れ、時刻ｔ３に再びスイッチが入り、デューティ・サイクルがΔ＝（ｔ２―ｔ１）/（ｔ３―ｔ１）となる事を決定するタイミング情報を含むことを示す。これはランプ調光制御器１０により意図されているタイミングであり、切り換え時刻ｔ１及びｔ２は又、“目標”
時刻として示されることに注意する；これから説明されるように、実際の切換は、異なる時刻に起こる可能性がある。
【００１６】
ランプ駆動装置１は更に、同じく図2に示された高周波発振器信号Ｓｖを出力４２に提供させる発振器４０を含む。この出力４２は、ブリッジ回路６０の入力６１に結合される。ブリッジ回路６０は、全ブリッジの半分ブリッジで有る可能性がある。ブリッジ回路それ自体は知られているのでブリッジ回路６０の設計についての詳しい説明は必要でない。発振器信号Ｓｖのレベルにより正の方向又は負の方向（２つの矢印で示される）を有する出力電流ＳＢを提供する出力６２をブリッジ回路６０が有する事に注意することで十分である。１例として、発振器信号Ｓｖが高であるときブリッジ出力電流ＳＢが正（６２から供給される）であり、発振器信号Ｓｖが低であるときブリッジ出力電流ＳＢが負（６２へ沈む(sinked into)）で有ることが想定される。
【００１７】
ブリッジ出力６２は、制御可能スイッチ５０の入力５１へ接続され、出力５２は、装置出力２に接続される。制御可能スイッチ５０は、2つの動作状態を有する。第1の動作状態「閉」（ＣＬＯＳＥＤ）では、スイッチ５０は、導通状態で入力５１で受け取った信号を出力５２へ通過させる。；この状態においては、ランプ駆動信号Ｌは、交流電流ＳＢに従い従動ランプはオン（ＯＮ）である。第2の動作状態「開」（ＯＰＥＮ）において、スイッチ５０は、非導通で、入力５１で受け取った全ての入力信号を阻止する。この状態では、ランプ駆動信号Ｌはゼロで且つ従動ランプは、オフ（ＯＦＦ）である。このように、従動ランプのオン及びオフを切り換えることは、制御可能スイッチ５０の「閉」及び「開」の動作切換によりそれぞれ実行される。
【００１８】
ランプ駆動装置１は更に、ランプ切り換え制御器２０を含み、それは調光制御信号Ｓｄｃｃを受け取るために入力２１をランプ調光制御器１０の出力１2に結合させ、スイッチ５０の制御端子５３と制御出力２２とを結合させる。ランプ切り換え制御器２０は、制御可能スイッチ５０の動作状態を決定するために制御出力２２にスイッチ制御出力信号Ｓｓを作り出すように設計されている。便宜上スイッチ制御出力信号Ｓｓは、2レベル信号で、それぞれスイッチ制御出力信号Ｓｓのハイ（ＨＩＧＨ）の値は、スイッチの「閉」（ＣＬＯＳＥＤ）の状態を決定し、スイッチ制御出力信号Ｓｓのロー（ＬＯＷ）の値は、スイッチの「開」（ＯＰＥＮ）の状態を決定すると想定される。
【００１９】
ブリッジ回路６０とスイッチ５０は、切り換えブリッジを形成するために一体化できる。
【００２０】
先行技術の装置においては、調光コマンド信号Ｓｄｃｃは、スイッチ５０の制御端子５３に直接結合される。そのような場合、従動ランプは、時刻ｔ１及びｔ２でオンとオフが切り換えられ、それは図２に示すように発振器出力信号Ｓｖと任意の位相関係を持つ。本発明においてランプ切り換え制御器２０は、ランプ調光制御器１０と制御可能スイッチ５０との間に配置される。ランプ切り換え制御器２０は、その第1入力で受け取った調光コマンド信号Ｓｄｃｃ及び第２入力２３で受け取った発振器出力信号Ｓｖを基礎としてその出力制御信号Ｓｓを作りだす。もっと詳しくいうと、図2に示すように、時刻ｔ１後、調光コマンド信号Ｓｄｃｃが低から高へ遷移するときに、ランプ切り換え制御器２０は、発振器出力信号Ｓｖがｔ１１で第１所定位相を持つまで待ち受け、そしてその時その出力制御信号Ｓｓを高にする。このようにして従動ランプ６は，発振器信号Ｓｖと所定の位相関係を持ちながら、要求されるランプ切り換え信号と発振器信号の真の同期なしに、常にオンに切り換えられる。
【００２１】
同様にして、時刻ｔ２後、調光コマンド信号Ｓｄｃｃが高から低へ遷移するときにランプ切り換え制御器２０は、発振器出力信号Ｓｖがｔ１２で第２所定位相を持つまで待ち受け、そしてその時その出力制御信号Ｓｓを低にする。このようにして従動ランプは，発振器信号Ｓｖと所定の位相関係を持ちながら、要求されるランプ切り換え信号と発振器信号の真の同期なしに、常にオフに切り換えられる。
【００２２】
図3は、より大きい時間目盛りで数個の信号を図示したグラフである。第１の信号は、切り換え制御信号Ｓｓで、時刻ｔ１１から時刻ｔ１２までのランプＯＮ周期を定義する。第２の信号は、発振器出力信号Ｓｖで、１と０の間で変化する。第３の信号は、ブリッジ出力信号ＳＢで、各々＋１と−１で示される正と負の電流の間を変化する。ブリッジ出力信号ＳＢは、発振器出力信号Ｓｖと同位相であることに注意する。第４の信号はランプ駆動信号Ｌで、時刻ｔ１１から時刻ｔ１２までブリッジ出力信号ＳＢに対応し、この時間領域外ではゼロである。図３に示される第５の信号は、変圧器４の磁荷Ｍである。
【００２３】
図３に示される状況で、発振器出力信号Ｓｖの第１所定位相は、低から高への遷移で、即ちＯＮ時間（ｔ１１からｔ１２）の開始ｔ１１は、発振器出力信号Ｓｖの立ち上がり端に一致する；これは位相角０°として示される。同様に、発振器出力信号Ｓｖの第１所定位相は、位相角０°に等しいので、ランプ切り換え制御器２０の制御出力信号ＳｓのＯＮ時間（ｔ１２―ｔ１１）は常に、発振器信号Ｓｖの周期の整数倍である。磁荷Ｍが０から最大値（１として示される）位相０°（ｔ１１）から位相１８０°（ｔ２１）まで上がり、そして位相１８０°（ｔ２１）から位相３６０°（ｔ２２）までで０に戻るのを見ることは可能である。磁荷Ｍは、ゼロに等しくない平均ＭＡＶ（この平均は図３の表示で０．５に等しい）を有する。
【００２４】
図４は、図３と比較できるグラフで、本発明による装置中の数個の信号を示す。信号ＳｖとＳＢは、図４で省略されている。この場合、ＯＮ時間(interval)開始時刻ｔ１１は、発振器出力信号Ｓｖの位相角９０°に一致する。このように、時刻ｔ１１でランプ駆動信号Ｌが高になるとき、発振器出力信号Ｓｖの次の立ち下がり端までの時間（時間ｔ２１）は、発振器出力信号Ｓｖの周期の２５％に対応する。この時間の間磁荷Ｍは、０から約０．５である最大値、位相９０°（ｔ１１）から位相１８０°（ｔ２１）まで上がる。その後、位相１８０°から位相３６０°（ｔ２２）まで、電流方向が反転し、磁荷Ｍは、約−０．５である最小値へ減少する。その後、又、発振器出力信号Ｓｖの位相角９０°に一致するＯＮ時間の終わりｔ１２に達するまで、磁荷Ｍは繰り返し最小値０から最大値まで変化するので、磁荷Ｍが最後にゼロに上がる（ｔ１２）。磁荷Ｍは、ゼロに等しい平均ＭＡＶを有する。最小及び最大磁荷の絶対値は常に、図３の場合より低い（この絶対値は図３では０．５に等しい）。
【００２５】
図５は、ランプ駆動装置1の動作３００を示すフロー図である。第１のステップ３０１において、ランプ切り換え制御器２０は、調光コマンド信号Ｓｄｃｃが高になるまで待ち受ける。第２のステップ３０２において、調光コマンド信号Ｓｄｃｃが高になった後、ランプ切り換え制御器２０は、発振器信号Ｓｖが位相９０°に達するまで待ち受ける。第３のステップ３０３において、発振器信号Ｓｖが位相９０°に達した瞬間、ランプ切り換え制御器２０は、従動ランプをオンにするためにスイッチ制御信号Ｓｓを高にする。第４のステップ３０４において、ランプ切り換え制御器２０は、調光コマンド信号Ｓｄｃｃが低になるまで待ち受ける。第５のステップ３０５において、デューティ・サイクルコマンド信号Ｓｄｃｃが低になった後、ランプ切り換え制御器２０は、発振器信号Ｓｖが位相９０°に達するまで待ち受ける。第６のステップ３０６において、発振器信号Ｓｖが位相９０°に達した瞬間、ランプ切り換え制御器２０は、従動ランプをオフにするためにスイッチ制御信号Ｓｓを低にする。
【００２６】
本発明が、上記の実施例に限られないが、付属の特許請求の範囲に定義された通り数種の変形例が本発明の保護範囲内で可能であることは当業者にとっては明らかである。
【００２７】
例えば、ランプＯＮ時間（ｔ１２−ｔ１１）が、ランプ調光制御器１０により決定される代わりに、スイッチオフ時刻ｔ１２が計数ＨＦ発振器パルスに基づいてランプ切り換え制御器２０により決定される事も又可能である。
【００２８】
更に、ランプ切り換え制御器２０は、切り換え時間を決定するための９０°移相器を与えられている間、ランプ切り換え制御器２０は、発振器出力信号Ｓｖを受け取ることは可能である。図６は、駆動器６０１が、５０％のデューティ・サイクル及び発振器出力信号Ｓｖの２倍高い周波数を有するマスター発振器信号Ｓｔを作りだすマスター発振器６０２を含む変形例を示す。駆動器６０１は更に２つの分周器６０３及び６０４、例えばフリップフロップ、を含み、マスター発振器信号Ｓｔの特定位相において高から低へ及びその逆へと変化する。第２分周器６０４はマスター発振器信号Ｓｔの立ち下がり端によってトリガーされる(triggered)可能性がある一方、第１分周器６０３はマスター発振器信号Ｓｔの立ち上がり端によってトリガーされる可能性がある。このように、２つの分周器６０３及び６０４の出力信号は、マスター発振器信号Ｓｔに関して１８０°の位相差を示す一方、それらは、それら自信の周波数に関して９０°の位相差を示す。第１分周器６０３の出力信号は、ランプ切り換え制御器２０の入力２３に結合すべき補助信号Ｓａとして使用可である一方、第２分周器６０４の出力信号は、発振器信号Ｓｖとして使用可である。
【００２９】
上記において、本発明は、理想の場合について説明している。発振器出力信号Ｓｖの立ち上がり端を位相＝０°として、スイッチ制御信号Ｓｓの立ち上がり端は、角形(block-shaped)の発振器出力信号Ｓｖの位相９０°と一致する。しかし、もしスイッチ制御信号Ｓｓの立ち上がり端が、角形の発振器出力信号Ｓｖの位相０°から１８０°の間のφに一致するならば、本発明は、既に改良を提供する事になることに注意する。
【００３０】
上記において、スイッチ制御信号Ｓｓが高であるときスイッチ５０は導通状態で、スイッチ制御信号Ｓｓが低であるとき、スイッチ５０は非導通状態となる理想の場合について本発明は説明されているが、スイッチ制御信号Ｓｓが低であるとき、スイッチ５０は導通状態で、スイッチ制御信号Ｓｓが高であるとき、スイッチ５０は非導通状態であることも又可能であることは明白である。
【００３１】
上記において、本発明は、ブリッジ出力信号ＳＢを電流信号として言及して説明されている。スイッチ５０により導通又は非導通状態で、ブリッジ出力信号ＳＢを、導通時ランプ回路内で整流子電流を誘起し非導通時ランプ回路内でゼロ電流という結果となる電圧信号として言及することも可能である。
【００３２】
上記において、本発明は、本発明による装置の機能ブロックを図示したブロック図を参照して説明されている。これらの1以上の機能ブロックは、ハードウエアにおいて実施可能で、そのような機能ブロックの機能は、個々のハードウエア構成要素により実行されることは理解されなければならない。又、これらの1以上の機能ブロックは、ソフトウエアにおいて実施可能で、そのような機能ブロックの機能は、1以上のコンピュータプログラムのプログラム行により又マイクロプロセッサー、マイクロコントローラ、デジタル信号処理装置等のプログラム可能な装置により実行されることも又可能であることも理解されなければならない。
【図面の簡単な説明】
【００３３】
【図１】本発明によるランプ駆動装置の1実施例のブロック略図を示す。
【図２】図１によるランプ駆動装置の種々の信号のタイミングを示すグラフの略図を示す。
【図３】図１によるランプ駆動装置の種々の信号のタイミングを示すグラフの略図を示す。
【図４】図１によるランプ駆動装置の種々の信号のタイミングを示すグラフの略図を示す。
【図５】ランプ駆動装置の1動作例を概略的に示すフロー図である。
【図６】本発明によるランプ駆動装置の変形例を概略的に図示するブロック図である。
【図１】
2009540495.tif 000003
【図２】
2009540495.tif 000004
【図３】
2009540495.tif 000005
【図４】
2009540495.tif 000006
【図５】
2009540495.tif 000007
【図６】
2009540495.tif 000008
【国際調査報告】
2009540495.tif 000009
2009540495.tif 000010